(57)【特許請求の範囲】
【請求項１】
所定の通信プロトコルに従ってファクシミリ通信を行うファクシミリ装置において、
自装置のファイル出力形態を含む受信形態を示す拡張機能情報を記憶する拡張機能記憶手段と、
受信データを記憶するデータ記憶手段と、
前記所定の通信プロトコルに従ってファクシミリ受信を行う際に同通信プロトコルに従ってファクシミリ送信を行う送信側装置に対して前記拡張機能記憶手段に記憶された拡張機能情報を送信する送信手段と、
前記送信手段の送信に応じて前記送信側装置から要求される拡張機能情報に基づく受信形態でファクシミリ受信して出力動作を制御する出力制御手段と、
を備え、
前記出力制御手段は前記送信側装置の拡張機能情報によってファイル出力形態が指示された場合に前記データ記憶手段に前記送信側装置からの受信データを記憶することを特徴とするファクシミリ装置。
【請求項２】
所定の通信プロトコルに従ってファクシミリ通信を行うファクシミリ装置において、
自装置のファイル出力形態とプリント出力形態とを含む受信形態を示す拡張機能情報を記憶する拡張機能記憶手段と、
受信データを記憶するデータ記憶手段と、
前記所定の通信プロトコルに従ってファクシミリ受信を行う際に同通信プロトコルに従ってファクシミリ送信を行う送信側装置に対して前記拡張機能記憶手段に記憶された拡張機能情報を送信する送信手段と、
前記送信手段の送信に応じて前記送信側装置から要求される拡張機能情報に基づく受信形態でファクシミリ受信して出力動作を制御する出力制御手段と、
を備え、
前記出力制御手段は、前記送信側装置の拡張機能情報によってファイル出力形態とプリント出力形態とのいずれか一方、もしくはその両方が指示された場合、ファイル出力動作とプリント出力動作とのいずれか一方、もしくはその両方の出力動作を制御すると共に、前記送信側装置の拡張機能情報にファイル出力形態の指示があった場合、前記データ記憶手段に前記送信側装置からの受信データを記憶することを特徴とするファクシミリ装置。
【請求項３】
所定の通信プロトコルに従ってファクシミリ通信を行うファクシミリ装置において、
自装置のファイル出力形態と白黒タイプのプリント出力形態とを含む受信形態を示す拡張機能情報を記憶する拡張機能記憶手段と、
受信データを記憶するデータ記憶手段と、
前記所定の通信プロトコルに従ってファクシミリ受信を行う際に同通信プロトコルに従ってファクシミリ送信を行う送信側装置に対して前記拡張機能記憶手段に記憶された拡張機能情報を送信する送信手段と、
前記送信手段の送信に応じて前記送信側装置から要求される拡張機能情報に基づく受信形態でファクシミリ受信して出力動作を制御する出力制御手段と、
を備え、
前記出力制御手段は、前記送信側装置の拡張機能情報にファイル出力形態の指示、もしくはカラータイプのプリント出力形態の指示があった場合、前記データ記憶手段に前記送信側装置からの受信データを記憶することを特徴とするファクシミリ装置。
【請求項４】
前記所定の通信プロトコルはＩＴＵ−Ｔカラーファクシミリ標準勧告に従う伝送手順であることを特徴とする請求項１〜３のいずれか一つに記載のファクシミリ装置。
【請求項５】
前記プリント出力形態を示す拡張機能情報はプリント部数情報を含むことを特徴とする請求項２又は３に記載のファクシミリ装置。
【請求項６】
前記プリント出力形態を示す拡張機能情報は解像度情報を含むことを特徴とする請求項２又は３に記載のファクシミリ装置。
【請求項７】
前記プリント出力形態を示す拡張機能情報はプリント用紙のサイズ情報を含むことを特徴とする請求項２又は３に記載のファクシミリ装置。
【請求項８】
通信回線に接続され、所定の通信プロトコルに従ってファクシミリ送信を行う、通信回線に接続された送信側装置と、
前記通信回線に接続され、前記送信側装置と前記通信回線を介して前記所定の通信プロトコルに従ってファクシミリ受信を行う受信側装置と、
を備え、
前記送信側装置は、
自装置の送信形態を示す拡張機能情報を記憶する第１記憶手段と、
前記受信側装置に対して拡張機能情報の送信を要求し、その回答である前記受信側装置の拡張機能情報と前記第１記憶手段に記憶された拡張機能情報とに基づいてファクシミリ送信する際の拡張機能情報を設定する設定手段と、
前記設定手段により設定された拡張機能情報を前記受信側装置に通知して前記ファクシミリ送信を制御する送信制御手段と、
を有し、
前記受信側装置は、
自装置のファイル出力形態を含む受信形態を示す拡張機能情報を記憶する第２記憶手段と、
受信データを記憶するデータ記憶手段と、
前記送信側装置の要求に応じて前記送信側装置に対して前記第２記憶手段に記憶された拡張機能情報を回答する回答手段と、
前記回答手段の回答後に前記送信側装置から通知される拡張機能情報に基づく受信形態でファクシミリ受信して出力動作を制御する出力制御手段と、
を有し、
前記出力制御手段は前記送信側装置の拡張機能情報によってファイル出力形態が指示された場合に前記データ記憶手段に前記送信側装置からの受信データを記憶することを特徴とするファクシミリ通信システム。
【請求項９】
通信回線に接続され、所定の通信プロトコルに従ってファクシミリ送信を行う、通信回線に接続された送信側装置と、
前記通信回線に接続され、前記送信側装置と前記通信回線を介して前記所定の通信プロトコルに従ってファクシミリ受信を行う受信側装置と、
を備え、
前記送信側装置は、
自装置の送信形態を示す拡張機能情報を記憶する第１記憶手段と、
前記受信側装置に対して拡張機能情報の送信を要求し、その回答である前記受信側装置の拡張機能情報と前記第１記憶手段に記憶された拡張機能情報とに基づいてファクシミリ送信する際の拡張機能情報を設定する設定手段と、
前記設定手段により設定された拡張機能情報を前記受信側装置に通知して前記ファクシミリ送信を制御する送信制御手段と、
を有し、
前記受信側装置は、
自装置のファイル出力形態とプリント出力形態とを含む受信形態を示す拡張機能情報を記憶する第２記憶手段と、
受信データを記憶するデータ記憶手段と、
前記送信側装置の要求に応じて前記送信側装置に対して前記第２記憶手段に記憶された拡張機能情報を回答する回答手段と、
前記回答手段の回答後に前記送信側装置から通知される拡張機能情報に基づく受信形態でファクシミリ受信して出力動作を制御する出力制御手段と、
を備え、
前記出力制御手段は、前記送信側装置の拡張機能情報によってファイル出力形態とプリント出力形態とのいずれか一方、もしくはその両方が指示された場合、ファイル出力動作とプリント出力動作とのいずれか一方、もしくはその両方の出力動作を制御すると共に、前記送信側装置の拡張機能情報にファイル出力形態の指示があった場合、前記データ記憶手段に前記送信側装置からの受信データを記憶することを特徴とするファクシミリ通信システム。
【請求項１０】
通信回線に接続され、所定の通信プロトコルに従ってファクシミリ送信を行う、通信回線に接続された送信側装置と、
前記通信回線に接続され、前記送信側装置と前記通信回線を介して前記所定の通信プロトコルに従ってファクシミリ受信を行う受信側装置と、
を備え、
前記送信側装置は、
自装置の送信形態を示す拡張機能情報を記憶する第１記憶手段と、
前記受信側装置に対して拡張機能情報の送信を要求し、その回答である前記受信側装置の拡張機能情報と前記第１記憶手段に記憶された拡張機能情報とに基づいてファクシミリ送信する際の拡張機能情報を設定する設定手段と、
前記設定手段により設定された拡張機能情報を前記受信側装置に通知して前記ファクシミリ送信を制御する送信制御手段と、
を有し、
前記受信側装置は、
自装置のファイル出力形態と白黒タイプのプリント出力形態とを含む受信形態を示す拡張機能情報を記憶する第２記憶手段と、
受信データを記憶するデータ記憶手段と、
前記送信側装置の要求に応じて前記送信側装置に対して前記第２記憶手段に記憶された拡張機能情報を回答する回答手段と、
前記回答手段の回答後に前記送信側装置から通知される拡張機能情報に基づく受信形態でファクシミリ受信して出力動作を制御する出力制御手段と、
を備え、
前記出力制御手段は、前記送信側装置の拡張機能情報にファイル出力形態の指示、もしくはカラータイプのプリント出力形態の指示があった場合、前記データ記憶手段に前記送信側装置からの受信データを記憶することを特徴とするファクシミリ通信システム。
【請求項１１】
前記設定手段により設定される拡張機能情報は、伝送情報として、カラーデータ／白黒データ、階調データ等のデータ量、及び符号化方式データのいずれか一つ、もしくはその組み合わせを含むことを特徴とする請求項８〜１０のいずれか一つに記載のファクシミリ通信システム。
【請求項１２】
前記所定の通信プロトコルはＩＴＵ−Ｔカラーファクシミリ標準勧告に従う伝送手順であることを特徴とする請求項８〜１０のいずれか一つに記載のファクシミリ通信システム。
【請求項１３】
前記プリント出力形態を示す拡張機能情報はプリント部数情報を含むことを特徴とする請求項９又は１０に記載のファクシミリ通信システム。
【請求項１４】
前記プリント出力形態を示す拡張機能情報は解像度情報を含むことを特徴とする請求項９又は１０に記載のファクシミリ通信システム。
【請求項１５】
前記プリント出力形態を示す拡張機能情報はプリント用紙のサイズ情報を含むことを特徴とする請求項９又は１０に記載のファクシミリ通信システム。
【発明の詳細な説明】
【０００１】
【発明の属する技術分野】
この発明は、例えば、通信プロトコルの際に拡張機能を用いてカラー原稿を送受信するファクシミリ装置、及びそのファクシミリ装置を適用したファクシミリ通信システムに関する。
【０００２】
【従来の技術】
カラー原稿の送受信機能を有したカラーファクシミリ装置は、色空間をＬ＊ａ＊ｂ＊、圧縮方式をＪＰＥＧ（Ｊｏｉｎｔ  Ｐｈｏｔｏｇｒａｐｈｉｃ  Ｃｏｄｉｎｇ  Ｅｘｐｅｒｔｓ  Ｇｒｏｕｐ）等の標準規格、そして、通信プロトコルを例えばＧ４カラー拡張といった仕様で標準化されている。
【０００３】
また、今日、広く普及されている白黒ファクシミリ装置では、受信画像を２４０ｄｐｉ、もしくは３００ｄｐｉの解像度で出力するのが一般的である。この解像度をもつ出力画像は、白黒画像であるため、複写機によって複写しても画像劣化を生じることはなかった。
【０００４】
このように、白黒ファクシミリ装置による出力画像については、その出力画像を複写機で複写しても十分に再現することができるので、複数部の書類が必要であれば複写機によって複数部の複写を行えばよく、あえて白黒ファクシミリ装置に複数部の出力を行わせる必要はなかった。
【０００５】
【発明が解決しようとする課題】
ところが、カラーファクシミリ装置を用いてＬ＊ａ＊ｂ＊色空間で伝送された画像データから得られる出力画像や、カラープリンタ装置を用いてＹ（イエロー）、Ｍ（マゼンタ）、及びＣ（シアン）の３色もしくはＹ，Ｍ，ＣにＢｋ（ブラック）を加えた４色の色材でカラー印刷して得られる出力画像を複写機で複写した場合、カラーファクシミリ装置やカラープリンタ装置と複写機との間で階調表現や色再現手法に大きな相違があるので、前述の白黒画像に比べて画像劣化が大きくなり、そのために再現性が低下するという問題があった。
【０００６】
また、前述の白黒ファクシミリ装置においても、白黒二値の画像を扱う装置の場合には画像劣化が生じないが、白黒多値の画像を扱う装置の場合には出力画像が多階調（例えば白黒８ビット階調であれば、２５６階調のグレースケールとなる）で表現されるため、その階調表現に応じて画像劣化の程度が左右される。このため、階調が多段階になればなる程、再現性の低下が著しくなるという問題があった。
【０００７】
さらに、カラーファクシミリ装置で扱うカラーデータや白黒ファクシミリ装置で扱う多値データは白黒ファクシミリ装置で扱う二値データに比べてデータ量が膨大となり、特に、複写機によるカラー画像形成プロセスにおいては１枚当たりのカラー画像出力に数分単位の時間が必要となる。このため、複写機によって複数部のカラー画像出力を行う場合には複写機の占有時間が長時間に及ぶという問題があった。
【０００８】
この発明は、上述した従来例による問題を解消するため、受信能力に応じて最適なファクシミリ通信を実現することが可能なファクシミリ装置を得ることを目的とする。
【０００９】
また、この発明は、複写機を使用せず送信側装置の要求に応じた出力形態で画像劣化のないカラー画像や多値画像を出力することが可能、かつ受信能力に応じて送信側装置の要求に応じた出力形態でその出力に要する時間を短縮することが可能なファクシミリ装置を得ることを他の目的とする。
【００１０】
また、この発明は、送信側装置により受信側装置の受信能力に応じて最適なファクシミリ通信を実現することが可能なファクシミリ通信システムを得ることをさらに他の目的とする。
【００１１】
また、この発明は、複写機を使用せず送信側装置の要求に応じた出力形態で画像劣化のないカラー画像や多値画像を出力することが可能、かつ受信能力に応じて送信側装置の要求に応じた出力形態でその出力に要する時間を短縮することが可能なファクシミリ通信システムを得ることをさらに他の目的とする。
【００１４】
【課題を解決するための手段】
上述した課題を解決し、上記目的を達成するため、請求項１の発明に係るファクシミリ装置は、拡張機能記憶手段に自装置のファイル出力形態を含む受信形態を示す拡張機能情報を記憶しておき、送信手段により、所定の通信プロトコルに従ってファクシミリ受信を行う際に、同通信プロトコルに従ってファクシミリ送信を行う送信側装置に対して拡張機能記憶手段に記憶された拡張機能情報を送信し、出力制御手段により、送信手段の送信に応じて送信側装置から要求される拡張機能情報に基づく受信形態でファクシミリ受信して出力動作を制御し、その際、送信側装置の拡張機能情報によってファイル出力形態が指示された場合にデータ記憶手段に送信側装置からの受信データを記憶することを特徴とする。
【００１５】
この請求項１の発明によれば、送信側装置に対して自装置のファイル出力形態を含む受信形態を拡張機能情報によって送信するようにしたので、自装置の受信能力に応じてファイル出力動作を制御することで最適なファクシミリ通信が実現され、これによって、受信側の実用性を向上させることが可能である。
【００１８】
また、請求項２の発明に係るファクシミリ装置は、拡張機能記憶手段に自装置のファイル出力形態とプリント出力形態とを含む受信形態を示す拡張機能情報を記憶しておき、送信手段により、所定の通信プロトコルに従ってファクシミリ受信を行う際に、同通信プロトコルに従ってファクシミリ送信を行う送信側装置に対して拡張機能記憶手段に記憶された拡張機能情報を送信し、出力制御手段により、送信手段の送信に応じて送信側装置から要求される拡張機能情報に基づく受信形態でファクシミリ受信して出力動作を制御し、その際に、送信側装置の拡張機能情報によってファイル出力形態とプリント出力形態とのいずれか一方、もしくはその両方が指示された場合、ファイル出力動作とプリント出力動作とのいずれか一方、もしくはその両方の出力動作を制御すると共に、送信側装置の拡張機能情報にファイル出力形態の指示があった場合、データ記憶手段に送信側装置からの受信データを記憶することを特徴とする。
【００１９】
この請求項２の発明によれば、送信側装置の拡張機能情報に応じてファイル出力動作とプリント出力動作とのいずれか一方、もしくはその両方の出力動作を制御し、特に、送信側装置の拡張機能情報にファイル出力形態の指示があった場合に送信側装置からの受信データを記憶するようにしたので、自装置の受信能力に応じてファイル出力動作やプリント出力動作を制御することで最適なファクシミリ通信が実現され、これによって、受信側の実用性を向上させることが可能である。
【００２０】
また、請求項３の発明に係るファクシミリ装置は、拡張機能記憶手段に自装置のファイル出力形態と白黒タイプのプリント出力形態とを含む受信形態を示す拡張機能情報を記憶しておき、送信手段により、所定の通信プロトコルに従ってファクシミリ受信を行う際に、同通信プロトコルに従ってファクシミリ送信を行う送信側装置に対して拡張機能記憶手段に記憶された拡張機能情報を送信し、出力制御手段により、送信手段の送信に応じて送信側装置から要求される拡張機能情報に基づく受信形態でファクシミリ受信して出力動作を制御し、送信側装置の拡張機能情報にファイル出力形態の指示、もしくはカラータイプのプリント出力形態の指示があった場合、データ記憶手段に送信側装置からの受信データを記憶することを特徴とする。
【００２１】
この請求項３の発明によれば、送信側装置に対して自装置のファイル出力形態と白黒タイプのプリント出力形態とを含む受信形態を拡張機能情報によって送信して、送信側装置の拡張機能情報にファイル出力形態の指示、もしくはカラータイプのプリント出力形態の指示があった場合に送信側装置からの受信データを記憶するようにしたので、自装置の受信能力に応じてカラータイプのプリント出力形態をファイル出力形態に置き換えることで最適なファクシミリ通信が実現され、これによって、受信側の実用性を向上させることが可能である。
【００２２】
また、請求項４の発明に係るファクシミリ装置は、請求項１〜３のいずれか一つに記載の発明において、前記所定の通信プロトコルをＩＴＵ−Ｔカラーファクシミリ標準勧告に従う伝送手順にしたので、送信側装置との間で拡張機能を有効利用することが可能である。
【００２３】
また、請求項５の発明に係るファクシミリ装置は、請求項２又は３に記載の発明において、プリント出力形態を示す拡張機能情報はプリント部数情報を含むようにしたので、送信側装置の要求に応じた受信形態で指示される部数のプリント出力が実現され、これによって、複写機の力を借りずに画像劣化のないカラー画像や多値画像の状態での出力が完了することから、また、自装置の受信能力に応じて送信側装置の要求に応じた受信形態で出力に要する時間を短縮することから、受信側の実用性を向上することが可能である。
【００２４】
また、請求項６の発明に係るファクシミリ装置は、請求項２又は３に記載の発明において、プリント出力形態を示す拡張機能情報が解像度情報を含むようにしたので、送信側装置の要求に応じた受信形態で指示される解像度のプリント出力が実現され、これによって、複写機の力を借りずに画像劣化のないカラー画像や多値画像の状態での出力が完了することから、また、自装置の受信能力に応じて送信側装置の要求に応じた受信形態で出力に要する時間を短縮することから、受信側の実用性を向上することが可能である。
【００２５】
また、請求項７の発明に係るファクシミリ装置は、請求項２又は３に記載の発明において、プリント出力形態を示す拡張機能情報はプリント用紙のサイズ情報を含むようにしたので、送信側装置の要求に応じた受信形態で指示されるプリント用紙のサイズでプリント出力が実現され、これによって、複写機の力を借りずに画像劣化のないカラー画像や多値画像の状態での出力が完了することから、また、自装置の受信能力に応じて送信側装置の要求に応じた受信形態で出力に要する時間を短縮することから、受信側の実用性を向上することが可能である。
【００２８】
また、請求項８の発明に係るファクシミリ通信システムは、通信回線を介して所定の通信プロトコルに従ってファクシミリ通信を行う場合、送信側装置において、第１記憶手段に自装置の送信形態を示す拡張機能情報を記憶しておき、設定手段により、受信側装置に対して拡張機能情報の送信を要求し、その回答である受信側装置の拡張機能情報と第１記憶手段に記憶された拡張機能情報とに基づいてファクシミリ送信する際の拡張機能情報を設定し、送信制御手段により設定手段により設定された拡張機能情報を受信側装置に通知してファクシミリ送信を制御し、受信側装置において、第２記憶手段に自装置のファイル出力形態を含む受信形態を示す拡張機能情報を記憶しておき、回答手段により送信側装置の要求に応じて送信側装置に対して第２記憶手段に記憶された拡張機能情報を回答し、出力制御手段により、回答手段の回答後に送信側装置から通知される拡張機能情報に基づく受信形態でファクシミリ受信して出力動作を制御し、その際、送信側装置の拡張機能情報によってファイル出力形態が指示された場合にファイル出力動作を制御することを特徴とする。
【００２９】
この請求項８の発明によれば、送信側装置が受信側装置の受信機能に応じた拡張機能によって受信側装置の出力動作を制御し、その際、送信側装置の拡張機能情報によってファイル出力動作を制御するようにしたので、送信側装置により受信側装置の受信能力に応じてファイル出力動作を制御することで最適なファクシミリ通信が実現され、これによって、受信側装置の実用性を向上させることが可能である。
【００３２】
また、請求項９の発明に係るファクシミリ通信システムは、通信回線を介して所定の通信プロトコルに従ってファクシミリ通信を行う場合、送信側装置において、第１記憶手段に自装置の送信形態を示す拡張機能情報を記憶しておき、設定手段により、受信側装置に対して拡張機能情報の送信を要求し、その回答である受信側装置の拡張機能情報と第１記憶手段に記憶された拡張機能情報とに基づいてファクシミリ送信する際の拡張機能情報を設定し、送信制御手段により設定手段により設定された拡張機能情報を受信側装置に通知してファクシミリ送信を制御し、受信側装置において、第２記憶手段に自装置のファイル出力形態とプリント出力形態とを含む受信形態を示す拡張機能情報を記憶しておき、回答手段により送信側装置の要求に応じて送信側装置に対して第２記憶手段に記憶された拡張機能情報を回答し、出力制御手段により、回答手段の回答後に送信側装置から通知される拡張機能情報に基づく受信形態でファクシミリ受信して出力動作を制御し、その際、送信側装置の拡張機能情報によってファイル出力形態とプリント出力形態とのいずれか一方、もしくはその両方が指示された場合、ファイル出力動作とプリント出力動作とのいずれか一方、もしくはその両方の出力動作を制御すると共に、送信側装置の拡張機能情報にファイル出力形態の指示があった場合、データ記憶手段に送信側装置からの受信データを記憶することを特徴とする。
【００３３】
この請求項９の発明によれば、送信側装置が受信側装置の受信機能に応じた拡張機能によって受信側装置の出力動作を制御し、その際、送信側装置の拡張機能情報によってファイル出力動作とプリント出力動作とのいずれか一方、もしくはその両方を制御するようにしたので、送信側装置により受信側装置の受信能力に応じてファイル出力動作やプリント出力動作を制御することで最適なファクシミリ通信が実現され、これによって、受信側装置の実用性を向上させることが可能である。
【００３４】
また、請求項１０の発明に係るファクシミリ通信システムは、通信回線を介して所定の通信プロトコルに従ってファクシミリ通信を行う場合、送信側装置において、第１記憶手段に自装置の送信形態を示す拡張機能情報を記憶しておき、設定手段により、受信側装置に対して拡張機能情報の送信を要求し、その回答である受信側装置の拡張機能情報と第１記憶手段に記憶された拡張機能情報とに基づいてファクシミリ送信する際の拡張機能情報を設定し、送信制御手段により設定手段により設定された拡張機能情報を受信側装置に通知してファクシミリ送信を制御し、受信側装置において、第２記憶手段に自装置のファイル出力形態と白黒タイプのプリント出力形態とを含む受信形態を示す拡張機能情報を記憶しておき、回答手段により送信側装置の要求に応じて送信側装置に対して第２記憶手段に記憶された拡張機能情報を回答し、出力制御手段により、回答手段の回答後に送信側装置から通知される拡張機能情報に基づく受信形態でファクシミリ受信して出力動作を制御し、その際、送信側装置の拡張機能情報にファイル出力形態の指示、もしくはカラータイプのプリント出力形態の指示があった場合、データ記憶手段に送信側装置からの受信データを記憶することを特徴とする。
【００３５】
この請求項１０の発明によれば、送信側装置が受信側装置のファイル出力形態と白黒タイプのプリント出力形態とを含む受信形態に応じた拡張機能情報によって受信側装置の出力動作を制御し、その際、送信側装置の拡張機能情報にファイル出力形態の指示、もしくはカラータイプのプリント出力形態の指示があった場合に送信側装置からの受信データを記憶するようにしたので、送信側装置により受信側装置の受信能力に応じてカラータイプのプリント出力形態をファイル出力形態に置き換えることで最適なファクシミリ通信が実現され、これによって、受信側装置の実用性を向上させることが可能である。
【００３６】
また、請求項１１の発明に係るファクシミリ通信システムは、請求項８〜１０のいずれか一つに記載の発明において、設定手段により設定される拡張機能情報に、伝送情報として、カラーデータ／白黒データ、階調データ等のデータ量、及び符号化方式データのいずれか一つ、もしくはその組み合わせを含めたので、受信側装置では送信側装置から受信される伝送情報に適宜応じて最適なファクシミリ受信が実現され、これによって、受信側装置の実用性を向上させることが可能である。
【００３７】
また、請求項１２の発明に係るファクシミリ通信システムは、請求項８〜１０のいずれか一つに記載の発明において、所定の通信プロトコルをＩＴＵ−Ｔカラーファクシミリ標準勧告に従う伝送手順にしたので、送信側装置との間で拡張機能を有効利用することが可能である。
【００３８】
また、請求項１３の発明に係るファクシミリ通信システムは、請求項９又は１０に記載の発明において、プリント出力形態を示す拡張機能情報にプリント部数情報を含めたので、送信側装置の要求に応じた受信形態で指示される部数のプリント出力が実現され、これによって、複写機の力を借りずに画像劣化のないカラー画像や多値画像の状態での出力が完了することから、また、受信側装置の受信能力に応じて送信側装置の要求に応じた受信形態で出力に要する時間を短縮することから、受信側装置の実用性を向上することが可能である。
【００３９】
また、請求項１４の発明に係るファクシミリ通信システムは、請求項９又は１０に記載の発明において、プリント出力形態を示す拡張機能情報に解像度情報を含めたので、送信側装置の要求に応じた受信形態で指示される解像度のプリント出力が実現され、これによって、複写機の力を借りずに画像劣化のないカラー画像や多値画像の状態での出力が完了することから、また、受信側装置の受信能力に応じて送信側装置の要求に応じた受信形態で出力に要する時間を短縮することから、受信側装置の実用性を向上することが可能である。
【００４０】
また、請求項１５の発明に係るファクシミリ通信システムは、請求項９又は１０に記載の発明において、プリント出力形態を示す拡張機能情報にプリント用紙のサイズ情報を含めたので、送信側装置の要求に応じた受信形態で指示されるプリント用紙のサイズでプリント出力が実現され、これによって、複写機の力を借りずに画像劣化のないカラー画像や多値画像の状態での出力が完了することから、また、受信側装置の受信能力に応じて送信側装置の要求に応じた受信形態で出力に要する時間を短縮することから、受信側装置の実用性を向上することが可能である。
【００４１】
【発明の実施の形態】
以下に添付図面を参照して、この発明に係る好適な実施の形態を詳細に説明する。
【００４２】
まず、カラータイプのファクシミリ装置について説明する。図１はこの発明に係るファクシミリ装置の一実施の形態によるカラータイプの内部構成を示すブロック図である。図１に示したカラータイプのファクシミリ装置は、ＩＴＵ−Ｔ（Ｉｎｔｅｒｎａｔｉｏｎａｌ  Ｔｅｌｅｃｏｍｍｕｎｉｃａｔｉｏｎ  Ｕｎｉｏｎ−Ｔｅｌｅｃｏｍｍｕｎｉｃａｔｉｏｎ  ｒｅｃｏｍｍｅｎｄａｔｉｏｎ）勧告に従ってファクシミリ通信を実施する。
【００４３】
また、このファクシミリ装置は、拡張機能を有しており、ファクシミリ通信の際に、この拡張機能を利用してデータ送受信の実施前に伝送情報、ファイル情報、及びプリント情報の授受を行って送受信形態を確認する。
【００４４】
カラータイプのファクシミリ装置は、図１に示したように、例えば、カラースキャナ１、信号処理部２、カラープリンタ３、ハードディスク装置４、キーボード５、及びディスプレイ６を備えている。
【００４５】
カラースキャナ１は、例えば３ラインＣＣＤによる撮像素子とＡ／Ｄ変換装置とを有した読取装置であり、後述する制御部２９の制御に従って送信対象となるカラー原稿をその撮像素子で光学的に読取りＡ／Ｄ変換装置を介してデジタル化されたＲＧＢ画像データを得る。なお、このＲＧＢ画像データには、３ラインの位置補正が施される。
【００４６】
信号処理部２は、カラースキャナ１、カラープリンタ３、ハードディスク装置４、キーボード５、ディスプレイ６、通信回線ＬＮ等に接続され、カラー原稿の読取り、カラー画像のカラープリント、データの書き込み及びその読み出し、操作入力、操作状況や通信状況の表示、通信等の制御、及び内部的な信号処理を行う。
【００４７】
この信号処理部２は、スキャナ補正処理部２１、色変換部２２、データ圧縮部２３、ページメモリ２４、モデム２５、データ伸張部２６、色変換部２７、プリンタ補正処理部２８、制御部２９（請求項１〜４の送信手段及び出力制御手段に相当すると共に、請求項１０〜１３の設定手段、送信制御手段、回答手段、及び出力制御手段に相当する）等から構成される。
【００４８】
スキャナ補正処理部２１は、カラースキャナ１に接続され、そのカラースキャナ１からＲＧＢ画像データを入力し、これにグレーバランス、γ（ガンマ）補正、ＭＴＦ（Ｍｏｄｕｌａｔｉｏｎ  Ｔｒａｎｓｆｅｒ  Ｆｕｎｃｔｉｏｎ）補正等のスキャナ補正を施す。
【００４９】
色変換部２２は、スキャナ補正部２１に接続され、そのスキャナ補正部２１からスキャナ補正されたＲＧＢ画像データを入力し、これにＩＴＵ−Ｔ勧告に従うカラーファクシミリ標準化方式によりサンプリング処理や、Ｌ＊ａ＊ｂ＊色空間への色変換を施す。
【００５０】
データ圧縮部２３は、色変換部２２に接続され、その色変換部２２から色変換されたＬ＊ａ＊ｂ＊画像データを入力し、これを上述したカラーファクシミリ標準化方式に規定されたロッシ（ＪＰＥＧ）もしくはロスレス（算術符号）の圧縮方式で圧縮してデータ量を縮小する。
【００５１】
このデータ圧縮部２３では、白黒多値データに対して拡張機能を使用する場合にＬ＊成分だけを適用すればよい。
【００５２】
また、このデータ圧縮部２３において、二値化後、もしくは誤差拡散法等による中間調処理後に、ＭＨ（Ｍｏｄｉｆｉｅｄ  Ｈｕｆｆｍａｎ）、ＭＲ（Ｍｏｄｉｆｉｅｄ  ＲＥＡＤ）、ＭＭＲ（Ｍｏｄｉｆｉｅｄ  ＭＲ）方式で符号化すれば、白黒タイプのファクシミリ装置にも送信できる送信データが得られる。
【００５３】
ページメモリ２４は、データ圧縮部２３に接続され、そのデータ圧縮部２３から圧縮された画像データを入力し、これを送信データとして記憶する。このページメモリ２４は、通信時間やエラーのリカバリーを考慮し、送信動作時には送信データを記憶し、受信動作時には受信データを記憶する。
【００５４】
また、このページメモリ２４は、ハードディスク装置４に接続され、制御部２９の制御に従って圧縮状態のデータを書き込んだり読み出したりする。
【００５５】
モデム２５は、通信回線ＬＮに接続され、送受信に応じて送受信データの変復調を行う、通信制御用のユニットである。すなわち、このモデム２５は、ページメモリ２４に接続され、そのページメモリ２４から送信データを入力してこれを変調して通信回線ＬＮに送信すると共に、通信回線ＬＮから受信される受信データを復調してこれをページメモリ２４に出力する。なお、復調されたデータは、Ｌ＊ａ＊ｂ＊画像データである。
【００５６】
データ伸張部２６は、ページメモリ２４に接続され、そのページメモリ２４から復調されたＬ＊ａ＊ｂ＊画像データ（受信データもしくはハードディスク装置４から読み出されたデータ）を入力し、これをそのデータの圧縮方式に応じてロッシ方式もしくはロスレス方式で伸張して元のデータ量に戻す。
【００５７】
色変換部２７は、データ伸張部２６に接続され、そのデータ伸張部２６から伸張されたＬ＊ａ＊ｂ＊画像データをサブサンプリングすると共に、Ｌ＊ａ＊ｂ＊色空間からカラープリンタ３用色材に適合するＹＭＣ系又はＹＭＣＢｋ系のカラー画像データに変換される。
【００５８】
プリンタ補正処理部２８は、色変換部２７に接続され、その色変換部２７からカラー画像データを入力し、これにＹ，Ｍ，Ｃ間のグレーバランス、γ補正、中間調処理、変倍処理（解像度変換）を施してカラープリンタ３に出力する。
【００５９】
制御部２９は、信号処理部２全体の制御を行うユニットであり、ＣＰＵ２９Ａ、ＲＯＭ２９Ｂ、ＲＡＭ２９Ｃ（請求項１０〜１３の第１記憶手段に相当する）等を有している。ＣＰＵ２９Ａは、ＲＯＭ２９Ｂに格納された各種制御プログラムに従って制御部２９の制御動作を司る部分である。
【００６０】
この制御部２９は、ファクシミリ送信の際に、通信プロトコルにおいて規定する拡張機能情報を設定した後に受信側装置であるファクシミリ装置に通知（送信）する制御や、ファクシミリ受信の際に、送信側装置であるファクシミリ装置の要求に応じて自装置の拡張機能情報を回答してからその拡張機能情報に従って出力動作を制御する。
【００６１】
ＲＯＭ２９Ｂは、アプリケーションプログラムを格納しているアプリケーションプログラムメモリ２９１、ＩＴＵ−Ｔ勧告に従う通信プロトコルに適用される自装置の受信形態を示す拡張機能情報を格納している拡張機能情報メモリ２９２（請求項１〜４の拡張機能記憶手段、および請求項１０〜１３の第２記憶手段に相当する）等を有している。
【００６２】
アプリケーションプログラムは、図９のフローチャートに従う送信処理プログラムや、図１０及び図１１の各フローチャートに従う受信処理プログラムを含んでいる。
【００６３】
ＲＡＭ２９Ｃは、ＣＰＵ２９Ａの動作時のワークエリアとして使用されると共に、ファクシミリ通信に使用する、受信側装置に送信形態を通知するための拡張機能情報を格納するメモリとしても使用される。
【００６４】
カラープリンタ３は、信号処理部２のプリンタ補正処理部２８に接続され、制御部２９の制御に従って、そのプリンタ補正処理部２８からプリンタ補正されたカラー画像データを入力し、このカラー画像データに基づいて記録紙に対してカラー画像を印刷する。このカラープリンタ３は、インクジェット、昇華型熱転写、電子写真、銀塩等の記録方式を採用する。
【００６５】
ハードディスク装置４（請求項１〜５のデータ記憶手段に相当すると共に、請求項１０〜１４のデータ記憶手段に相当する）は、ページメモリ２４に接続され、制御部２９の制御に従ってそのページメモリ２４との間でデータの授受を行ってハードディスクの読み書きを行う、大容量の外部記憶装置である。
【００６６】
キーボード５は、拡張機能情報の入力を含むファクシミリ通信の操作を行うためのキーを具備した操作ユニットであり、キー入力情報を制御部２９に供給する。
【００６７】
ディスプレイ６は、ＬＣＤやＣＲＴによる表示ユニットで構成され、制御部２９の制御に従ってファクシミリ通信にかかる各種機能や通信状況を表示したり拡張機能を操作するための表示画面を形成する。
【００６８】
なお、上述したカラータイプのファクシミリ装置は、主動作としてファクシミリ通信を行うと共に、処理系をカラースキャナ１、スキャナ補正処理部２１、色変換部２２、色変換部２７、プリンタ２８、カラープリンタ３とした場合には色変換部２２と色変換部２７間のデータ圧縮部２３、ページメモリ２４、モデム２５、及びデータ伸張部２６がパススルーされることから、カラー複写機として動作する。
【００６９】
次に、白黒タイプのファクシミリ装置について説明する。図２はこの発明に係るファクシミリ装置の一実施の形態による白黒タイプの内部構成を示すブロック図である。図２に示した白黒タイプのファクシミリ装置は、前述のカラータイプと同様に、ＩＴＵ−Ｔ勧告に従ってファクシミリ通信を実施する。
【００７０】
また、このファクシミリ装置は、カラータイプと同様の拡張機能を有しており、ファクシミリ通信の際に、この拡張機能を利用してデータ送受信の実施前に伝送情報、ファイル情報、及びプリント情報の授受を行って送受信形態を確認する。
【００７１】
図２に示した白黒タイプのファクシミリ装置において、図１に示したカラータイプのファクシミリ装置と共通する構成には同一符号を付してその説明を省略する。以下に相違する構成である白黒スキャナ１０、信号処理部２０、白黒プリンタ３０について説明する。
【００７２】
白黒スキャナ１０は、例えばＣＣＤによる撮像素子とＡ／Ｄ変換装置とを有した読取装置であり、制御部１２９の制御に従って送信対象となる白黒原稿をその撮像素子で光学的に読取りＡ／Ｄ変換装置を介してデジタル化された多値画像データを得る。
【００７３】
信号処理部２０は、白黒スキャナ１０、白黒プリンタ３０、ハードディスク装置４、キーボード５、ディスプレイ６、通信回線ＬＮ等に接続され、白黒原稿の読取り、白黒画像の白黒プリント、データの書き込み及びその読み出し、操作入力、操作状況や通信状況の表示、通信等の制御、及び内部的な信号処理を行う。
【００７４】
この信号処理部２０は、スキャナ補正処理部１２１、データ圧縮部１２３、ページメモリ１２４、モデム１２５、データ伸張部１２６、プリンタ補正処理部１２８、制御部１２９（請求項１，２及び５の送信手段及び出力制御手段に相当すると共に、請求項１０，１１及び１４の設定手段、送信制御手段、回答手段、及び出力制御手段に相当する）等のユニットから構成される。この信号処理部２０は、カラータイプではないことから色変換部２２，２７に相当するユニットを具備しておらず、各ユニットが白黒タイプとして動作することから、信号処理部２の場合と同様のため、機能や動作の説明を省略する。
【００７５】
また、制御部１２９は、信号処理部２０全体の制御を行うユニットであり、ＣＰＵ１２９Ａ、ＲＯＭ１２９Ｂ、ＲＡＭ１２９Ｃ（請求項１０，１１及び１４の第１記憶手段に相当する）等を有している。ＣＰＵ１２９Ａは、ＲＯＭ１２９Ｂに格納された各種制御プログラムに従って制御部１２９の制御動作を司る部分である。
【００７６】
この制御部１２９は、白黒タイプとしてのファクシミリ送信の際に、通信プロトコルにおいて規定する拡張機能情報を設定した後に受信側装置であるファクシミリ装置に通知（送信）する制御や、白黒タイプとしてのファクシミリ受信の際に、送信側装置であるファクシミリ装置の要求に応じて自装置の拡張機能情報を回答してからその拡張機能情報に従って出力動作を制御する。
【００７７】
ＲＯＭ１２９Ｂのアプリケーションプログラムメモリ１２９１や拡張機能情報メモリ１２９２（請求項１，２及び５の拡張機能記憶手段、および請求項１０，１１及び１４の第２記憶手段に相当する）についても、白黒タイプとしてカラータイプと相違する他はメモリ内容に差異はない。
【００７８】
ここで、拡張機能情報について詳述する。この拡張機能情報は、カラータイプと白黒タイプとで同様に扱うことから、図１に示したカラータイプのファクシミリ装置を例に挙げて以下に説明する。
【００７９】
図３はこの実施の形態による拡張機能情報メモリ２９２のメモリ構成例を示す図、図４は拡張機能情報における伝送情報の一例を示す図、図５は拡張機能情報におけるファイル情報の一例を示す図、そして、図６は拡張機能情報におけるプリント情報の一例を示す図である。
【００８０】
拡張機能情報メモリ２９２には、拡張パラメータである拡張機能情報が項目別にその内容を分類した形で記憶されている。具体的には、拡張機能情報メモリ２９２は、図３に示したように、伝送情報Ａ、ファイル情報Ｂ、及びプリント情報Ｃより構成される。
【００８１】
なお、送信側装置となったファクシミリ装置は、拡張機能情報メモリ２９２に記憶している拡張機能情報の分類に従って各拡張機能情報を規定して、受信側装置に通知する流れとなる。その際、拡張機能情報はＲＡＭ２９Ｃ上で設定される。
【００８２】
伝送情報Ａは、カラー機能，標準方式，コンポーネント，サブサンプリング，符号化方式等のデータで構成される。ファイル情報Ｂは、ファイル機能、転送モード、ファイルサイズ等の各データで構成される。プリント情報Ｃは、プリント機能、プリント部数、出力方式、解像度、紙サイズ等のデータで構成される。
【００８３】
伝送情報Ａにおいて（図４参照）、カラー機能Ａ１はカラーファクシミリのみを定義するデータであり、標準方式Ａ２はＪＰＥＧカラーもしくは他標準を定義するデータである。
【００８４】
また、コンポーネントＡ３は階調表現についてのグレースケールやカラーデータのデータ量を示すデータであり、サブサンプリングＡ４は原信号を忠実に再現するためのサブサンプリングを示すデータであり、符号化方式Ａ５は基本処理、及びホフマン拡張順次−ＤＣＴ（Ｄｉｓｃｒｅｔｅ  Ｃｏｓｉｎｅ  Ｔｒａｎｓｆｏｒｍ）算術符号を規定するデータである。
【００８５】
ファイル情報Ｂにおいて（図５参照）、ファイル機能Ｂ１はファイル転送の拡張機能のみを定義するデータであり、転送モードＢ２はファイル単位や他予約を規定するデータであり、ファイルサイズＢ３はファイル容量をＭｂｙｔｅ（バイト）で定義するデータである。
【００８６】
プリント情報Ｃにおいて（図６参照）、プリント機能Ｃ１はカラープリント機能の拡張時に定義されるデータであり、プリント部数Ｃ２は０〜２５５枚までの部数を規定するデータである。出力方式Ｃ３は電子写真、インクジェット、昇華型、及び銀塩の内で出力方式を規定するデータであり、解像度Ｃ４は３００，４００，６００，及び１２００ｄｐｉの内で解像度を規定するデータであり、紙サイズＣ５はＡ３，Ｂ４，Ａ４，Ｂ５，Ａ５，Ｂ６，Ａ６，ＤＬＴ，ＬＧ，ＬＴ，及びＨＬＴの内で紙サイズを規定するデータである。
【００８７】
次に、この発明に係るファクシミリ通信システムについて説明する。図７はこの実施の形態における送受信タイプの組み合わせの一例を示す図である。
【００８８】
図７には、拡張機能付きカラータイプ，標準カラータイプ，拡張機能付き白黒タイプ，標準白黒タイプの順に従い、送信側のファクシミリ装置をＴ１，Ｔ２，Ｔ３，Ｔ４で示し、受信側のファクシミリ装置をＲ１，Ｒ２，Ｒ３，Ｒ４で示す。
【００８９】
図１に示したカラータイプのファクシミリ装置の構成を有するものは、拡張機能付きカラータイプのファクシミリ装置Ｔ１，Ｒ１及び標準カラータイプのファクシミリ装置Ｔ２であり、図２に示した白黒タイプのファクシミリ装置の構成を有するものは、拡張機能付き白黒タイプのファクシミリ装置Ｒ３である。
【００９０】
ファクシミリ装置のタイプは、上述したように、拡張機能付きカラータイプ、標準カラータイプ、拡張機能付き白黒タイプ、標準白黒タイプの４種類に分別される。この４種類のタイプでファクシミリ通信を行う場合には、図７に示したように、送受信間で（ａ）〜（ｐ）までの１６通りの組み合わせが生じる。
【００９１】
この１６通りの組み合わせの中で拡張機能が動作可能な組み合わせは４組となる。その４組とは、（ａ）拡張機能付きカラータイプ（ファクシミリ装置Ｔ１）−拡張機能付きタイプ（ファクシミリ装置Ｒ１）、（ｃ）拡張機能付きカラータイプ（ファクシミリ装置Ｔ１）−拡張機能付き白黒タイプ（ファクシミリ装置Ｒ３）、（ｅ）標準カラータイプ（ファクシミリ装置Ｔ２）−拡張機能付きタイプ（ファクシミリ装置Ｒ１）、及び（ｇ）標準カラータイプ（ファクシミリ装置Ｔ２）−拡張機能付き白黒タイプ（ファクシミリ装置Ｒ３）である。
【００９２】
ファクシミリ機能に従う出力形態について、組み合わせ（ａ）では、プリント出力形態である部数指定（多部数可）のプリント出力とファイル出力形態であるカラーファイリング（ハードディスクへの記憶）が可能である。
【００９３】
また、その他の組み合わせ（ｃ），（ｅ），（ｇ）では、カラーファイリングが可能であり、特に、受信側が拡張機能付き白黒タイプの場合には受信データをカラーデータとして受信できてもカラー印刷ができないので、その受信データを一旦カラーファイリングしておけば、後にカラー出力が可能な電子機器を用いてカラー印刷することができる。
【００９４】
この場合、拡張機能付き白黒タイプのファクシミリ装置Ｒ３においては、フロッピーディスク装置や出力端子を設けて、カラーデータの状態で外部に出力できるようにすればよい。
【００９５】
また、上記４種類の組み合わせ以外の１２組について、組み合わせ（ｂ）及び（ｆ）では、標準カラータイプとしてのファクシミリ機能が得られ、これ以外の組み合わせ（１０組み）では、標準白黒タイプとしてのファクシミリ機能が得られる。
【００９６】
次に、伝送手順について説明する。図８はこの実施の形態における通信プロトコル例を示す図である。
【００９７】
この実施の形態におけるファクシミリ通信には、図８に示した通信プロトコルが採用される。この通信プロトコルには、ＣＥＤ（Ｃａｌｌｅｄ  Ｓｔａｔｉｏｎ  Ｉｄｅｎｔｉｆｉｃａｔｉｏｎ），ＮＳＦ（Ｎｏｎ−Ｓｔａｎｄａｒｄ  Ｆａｃｉｌｉｔｉｅｓ），ＣＳＩ（Ｃａｌｌｅｄ  Ｓｔａｔｉｏｎ  Ｉｄｅｎｔｉｆｉｃａｔｉｏｎ），ＤＩＳ（Ｄｉｇｉｔａｌ  ＩｄｅｎｔｉｆｉｃａｔｉｏｎＳｉｇｎａｌ），ＮＳＳ（Ｎｏｎ−Ｓｔａｎｄａｒｄ  ＦａｃｉｌｉｔｉｅｓＳｅｔ−ｕｐ），ＴＳＩ（Ｔｒａｎｓｍｉｔｔｉｎｇ  Ｓｔａｔｉｏｎ  Ｉｄｅｎｔｉｆｉｃａｔｉｏｎ），ＤＣＳ（Ｄｉｇｉｔａｌ  Ｃｏｍｍａｎｄ  Ｓｉｇｎａｌ），ＴＣＦ（Ｔｒａｉｎｉｎｇ  Ｃｈｅｃｋ  Ｆｉｅｌｄ），ＣＦＲ（Ｃｏｎｆｉｒｍａｔｉｏｎ  ｔｏ  Ｒｅｃｅｉｖｅ），ＥＯＰ（Ｅｎｄ  Ｏｆ  Ｐｒｏｃｅｄｕｒｅ），ＭＣＦ（Ｍｅｓｓａｇｅ  Ｃｏｎｆｉｒｍａｔｉｏｎ）の各制御が使用される。
【００９８】
送信側装置から受信側装置に対して発信音及び呼出音が送出されると、受信側装置にリンギングが発生する。この後、受信側装置から送信側装置に対してＣＥＤ，ＮＳＦ，ＣＳＩ，及びＤＩＳが制御信号として送出される。これは受信開始時のタイミングで実行される。
【００９９】
ＣＥＤは自装置が受信可能状態になったことを送信側装置へ知らせる。受信側装置が拡張機能付きタイプの場合には、ＮＳＦが有効な制御信号として使用される。このＮＳＦは、送信側装置へ自装置の拡張機能情報（この場合、拡張機能情報メモリ２９２に格納されているデータを指す）を知らせる。また、ＣＳＩは、送信側装置へ自装置の識別番号（電話番号等）を知らせ、ＤＩＳはグループ３仕様に応じて標準勧告に応じた自装置の機能を知らせる。
【０１００】
続いて、送信側装置から受信側装置に対してＮＳＳ，又はＴＳＩ・ＤＣＳが送出され、さらにモデムトレーニングの後にＴＣＦが送出される。これは送信開始時の送出タイミングで実行される。
【０１０１】
ＮＳＳは、受信側装置へどのような送信形態で送信を実施するのかを示す拡張機能情報（この場合、受信側装置、自装置の両拡張機能情報に基づき設定される、ＲＡＭ２９Ｃに格納されているデータを指す）を知らせる。ＴＳＩは受信側装置へ自装置の識別番号（電話番号等）を知らせ、ＤＣＳはグループ３仕様に応じて標準勧告に応じた自装置の機能を知らせる。
【０１０２】
そして、モデムトレーニングが実施され、ＴＣＦにより画情報（カラーデータ、又は白黒データ）の送信前に通信回線ＬＮの品質チェックが行われる。
【０１０３】
このモデムチェックの間に、受信側装置から送信側装置に対してＣＦＲが送出され、ＣＦＲがモデムトレーニングが成功したことを送信側装置へ知らせる。
【０１０４】
このようにしてモデムトレーニングが終了すると、送信側装置から受信側装置に対して画情報が送信され、ＥＯＰの送出で最終ページの画情報の送信が終了したことを受信側装置へ知らせる。
【０１０５】
この後、受信側装置から送信側装置に対してＭＣＦが送出され、ＭＣＦが画情報を正常に受信したことを送信側に知らせる。
【０１０６】
最後に、送信側装置から受信側装置に対してＤＣＮが送出され、ＤＣＮが通信回線ＬＮをファクシミリ通信から電話通信に切り換えることを知らせる。
【０１０７】
次に、送信動作について説明する。図９はこの実施の形態における送信動作を説明するフローチャートである。このフローチャートは、送信側装置（拡張機能付きカラータイプのファクシミリ装置Ｔ１もしくは標準カラータイプのファクシミリ装置Ｔ２）によるファクシミリ送信動作を例に挙げている。
【０１０８】
まず、ステップＳ１において受信側装置（例えばファクシミリ装置Ｒ１〜Ｒ４のいずれか一つ）に対して拡張機能情報が要求され、続くステップＳ２において受信側装置からの回答（拡張機能情報等）を受信する処理が実行される。このときの回答すなわち受信データは一時的にＲＡＭ２９Ｃに格納される。
【０１０９】
次に、ステップＳ３においてＲＡＭ２９Ｃに格納された受信データに基づいて受信側装置が拡張機能付きタイプ（拡張機能付きカラータイプもしくは拡張機能付き白黒タイプ）か、それとも標準タイプ（標準カラータイプもしくは標準白黒タイプ）かを判断する処理が実行される。
【０１１０】
このステップＳ３において、拡張機能付きタイプか否かの判断はファイル情報Ｂのファイル機能Ｂ１やプリント情報Ｃのプリント機能Ｃ１に基づいて実行される。そして、拡張機能付きタイプという判断結果が得られた場合には、処理はステップＳ４に移行し、一方、標準タイプという判断結果が得られた場合には、処理はステップＳ９によるその他の処理に移行しその後に終了する。
【０１１１】
さて、ステップＳ４では、伝送情報Ａの設定が行われる。この伝送情報Ａの場合には、受信側装置も拡張機能付きタイプであって送信側装置の伝送情報Ａの設定内容を満足できるのであれば、カラー機能Ａ１，標準方式Ａ２，コンポーネントＡ３，サブサンプリングＡ４，及び符号化方式Ａ５が所要の設定内容に規定される。なお、この伝送情報Ａは、送信側装置がカラータイプのため、カラー機能Ａ１がカラータイプとして規定される。
【０１１２】
続く、ステップＳ５では、ファイル情報Ｂの設定が行われる。このファイル情報Ｂの場合には、受信側装置も拡張機能付きタイプであって送信側装置のファイル情報Ｂの設定内容を満足できるのであれば、ファイル機能Ｂ１，転送モードＢ２，及びファイルサイズＢ３が所要の設定内容に規定される。なお、このファイル情報Ｂにおいて、受信側装置に対してカラーファイリングを指示しない場合にファイル機能Ｂ１の規定は不要である。すなわち、ファイル出力形態の指示を与えないことになる。
【０１１３】
そして、ステップＳ６では、プリント情報Ｃの設定が行われる。このプリント情報Ｃの場合には、受信側装置も拡張機能付きタイプであって送信側装置のプリント情報Ｃの設定内容を満足できるのであれば、プリント機能Ｃ１，プリント部数Ｃ２，出力方式Ｃ３，解像度Ｃ４，及び紙サイズＣ５が所要の設定内容に規定される。なお、このプリント情報Ｃにおいて、受信側装置に対してカラープリント出力を指示しない場合にプリント機能Ｂ１の規定は不要である。すなわち、プリント出力形態の指示を与えないことになる。
【０１１４】
続くステップＳ７において、以上のステップＳ４，Ｓ５，Ｓ６でそれぞれ設定される拡張機能情報は、送信側装置自身が拡張機能付きカラータイプの場合に通信プロトコルにおけるＮＳＳ制御信号によって送信され、もしくは送信側装置自身が標準カラータイプの場合に通信プロトコルにおけるＤＣＳ制御信号によって送信される。
【０１１５】
このステップＳ７の後、ステップＳ８において前述した通信プロトコルに従って画情報（カラーデータ）の送信が行われ、送信処理が終了する。
【０１１６】
次に、受信動作について説明する。まず、拡張機能付きカラータイプのファクシミリ装置Ｔ１もしくは標準カラータイプのファクシミリ装置Ｔ２からファクシミリ受信を行う拡張機能付きカラータイプのファクシミリ装置Ｒ１の動作を例に挙げる。図１０はこの実施の形態における受信動作の一例を説明するフローチャートである。
【０１１７】
ファクシミリ装置Ｒ１では、まず、ステップＳ２１において、送信側装置の要求に応じて拡張機能情報メモリ２９２に記憶されている伝送情報Ａ，ファイル情報Ｂ，及びプリント情報Ｃを読み出してこれを送信側装置へ回答（送信）する処理が実行される。
【０１１８】
この場合、受信側装置自身が拡張機能付きカラータイプのため、通信プロトコルにおけるＮＳＦ制御信号によって送信される。なお、標準タイプのファクシミリ装置Ｒ２，ファクシミリ装置Ｒ４は、いずれも受信側装置となった場合には拡張機能付きの送信側装置の指示する拡張機能を実行できないため、ＮＳＦ制御信号を用いた回答はせず、ＤＩＳ制御信号を用いた自装置の標準機能を回答する。
【０１１９】
続くステップＳ２２では、送信側装置から送られてくる拡張機能情報及び画情報の受信処理が実行される。これは送信側装置において前述の送信処理のステップＳ７及びＳ８（図９参照）で実行される。なお、拡張機能情報と画情報とは、ＲＡＭ２９Ｃに一時的に格納される。
【０１２０】
具体的には、送信側装置が拡張機能付きカラータイプであった場合に通信プロトコルにおけるＮＳＳ制御信号で拡張機能情報が受信され、もしくは送信側装置が標準カラータイプであった場合に通信プロトコルにおけるＤＣＳ制御信号で拡張機能情報が受信される。このようにして受信された拡張機能情報は一時的にＲＡＭ２９Ｃに格納される。
【０１２１】
次に、処理はステップＳ２３に移行して、ＲＡＭ２９Ｃに格納された伝送情報Ａを解読し、カラー機能Ａ１の設定内容から送信側装置がカラータイプか、それとも白黒タイプかの判断を行う。
【０１２２】
そして、カラータイプであるという判断結果が得られた場合には、処理はステップＳ２５に移行し、一方、白黒タイプであるという判断結果が得られた場合には、処理はステップＳ２４に移行して標準白黒タイプに応じた白黒プリント出力を行うようにカラープリンタ３を制御する。このステップＳ２４の後、受信処理は終了する。
【０１２３】
さて、処理がステップＳ２５に移行した場合には、さらに続いてＲＡＭ２９Ｃに格納されたプリント情報Ｃを解読し、プリント機能Ｃ１の設定内容からカラープリント出力の要求すなわち拡張機能によるプリント要求があるか否かの判断を行う。そして、プリント要求ありという判断結果が得られた場合には、処理はステップＳ２６に移行する。
【０１２４】
このステップＳ２６では、プリント情報Ｃのプリント部数Ｃ２の設定内容から要求するプリント部数が確認され、そのプリント部数分のカラープリント出力を行うようにカラープリンタ３が制御される。このステップＳ２６の後、処理はステップＳ２７に移行する。
【０１２５】
また、上述したステップＳ２４においてプリント要求なしという判断結果が得られた場合には、処理はステップＳ２７に移行して、さらにＲＡＭ２９Ｃに格納されたファイル情報Ｂを解読し、ファイル機能Ｂ１の設定内容からカラーファイリングの要求すなわち拡張機能によるファイリング要求があるか否かの判断を行う。
【０１２６】
そして、ファイリング要求ありという判断結果が得られた場合には、処理はステップＳ２９に移行してカラーファイリングを行い、一方、ファイリング要求なしという判断結果が得られた場合には、送信側装置より拡張機能の指示がないものと判断され、処理はステップＳ２８に移行して通常の標準カラータイプに応じたカラープリント出力を行うようにカラープリンタ３を制御する。以上のステップＳ２８又はＳ２９の後、受信処理は終了する。
【０１２７】
なお、拡張機能はプリント要求とファイリング要求とのいずれか一方、もしくはその両方を送信側装置によって指示することができる。したがって、図１０のフローチャートにおいて、ステップＳ２６によるカラープリント動作の後にステップＳ２７でファイル要求を確認できた場合には、ステップＳ２９によるカラーファイリングも実行することができる。
【０１２８】
また、ステップＳ２９では、カラーファイリングが正常に動作したのか否かを受信側装置のユーザに知らせるため、ヘッダページをカラーもしくは白黒でプリントするように、カラープリンタ３が制御される。
【０１２９】
また、ステップＳ２６によるカラープリントが実行された後に処理がステップＳ２８まで移行した場合には、プリント機能についてはすでに拡張機能が選択されていることから、ステップＳ２８において標準カラータイプに応じたカラープリントは実行されず、そのまま受信処理が終了する。
【０１３０】
さて、上述したステップＳ２６では、他の項目、すなわち出力方式Ｃ３，解像度Ｃ４，紙サイズＣ５についてもＲＡＭ２９Ｃに格納されたプリント情報Ｃによって確認される。
【０１３１】
出力方式Ｃについては、受信側装置のカラープリンタ３が、図６に示した如く電子写真、インクジェット、昇華型、銀塩のいずれかひとつに該当すればよいが、解像度Ｃ４や紙サイズＣ５については、送信側装置の要求する解像度や紙サイズに適合できない場合がある。この場合には、次の（１）〜（５）までの５つの方法で対処してもよい。
【０１３２】
すなわち、５つの方法とは、
（１）受信側装置に備わっている解像度や紙サイズにプリント出力形態を変更してプリント出力する、
（２）記録紙へのプリント出力を中止する、
（３）ファクシミリ通信の送付状付きで自動的にハードディスク装置４を作動させ、ハードディスクへのカラーファイリングを実施する、
（４）受信された画情報に基づいて受信原稿の一部をカラータイプもしくは白黒タイプでプリント出力し、送付状付きで自動的にハードディスク装置４を作動させ、ハードディスクへのカラーファイリングを実施する、そして
（５）プリント出力形態を白黒タイプに変更して白黒プリント出力を実施する、である。これらの方法は、事前、もしくはその時点で実行できるように操作すればよい。
【０１３３】
その操作には、例えばスイッチを設けることが好適であり、この場合にはハードスイッチ、ソフトスイッチのいずれでもよい。
【０１３４】
そして、その操作状態を送信側装置へ通知するようにすれば、発信者に対して送信結果を確認させることができる。
【０１３５】
また、ファイル機能Ｂ１の規定に応じてカラーファイリングを行う際に、受信された画情報をカラーファイリングするだけの空き容量がハードディスクにない場合には、画情報の受信前に送信を停止させることが好ましい。したがって、拡張機能情報を受信した段階（画情報の受信前）で伝送情報Ａ，ファイル情報Ｂ，及びプリント情報Ｃを解読して受信可否を判断すればよく、受信不可であれば、エラー等の状態を擬似的に発生することで送信側装置に通信を中止させることができる。
【０１３６】
また、ステップＳ２９では、受信された画情報がカラーデータ、もしくは白黒データであることに関係なくヘッダページの出力を白黒プリントに統一してもよい。もしヘッダページの画情報がカラーデータであれば、Ｌ＊ａ＊ｂ＊色空間の内のＬ＊成分のみを白黒データに変換してプリント処理すればよく、プリント処理が簡略化される。
【０１３７】
また、ステップＳ２５によるプリント要求とステップＳ２７によるファイル要求について処理の順番を入れ替え、プリント要求よりも先にファイル要求を確認するようにしてもよい。
【０１３８】
この場合には、ステップＳ２９によるカラーファイリングの後にステップＳ２５のプリント要求の判断が入り、そのプリント要求があればステップＳ２６によるカラープリント出力を行い、そのプリント要求がなければ標準カラータイプによるプリント出力を行うようにする。また、ステップＳ２７では、ファイル要求があってもなくても次にステップＳ２５のプリント要求がくることになる。
【０１３９】
また、上述のようにプリント要求とファイル要求の処理の順番を入れ替えた場合には、個々の出力形態（ステップＳ２４，Ｓ２６，Ｓ２８，Ｓ２９）で処理を実行する際に画情報を受信すればよい。もしカラーファイリング後にプリント要求があってもハードディスクからデータを読み出することでカラープリント出力は可能である。
【０１４０】
続いて、拡張機能付きカラータイプのファクシミリ装置Ｔ１もしくは標準カラータイプのファクシミリ装置Ｔ２からのファクシミリ受信を行う拡張機能付き白黒タイプのファクシミリ装置Ｒ３の動作を例に挙げる。図１１はこの実施の形態における受信動作の他の例を説明するフローチャートである。
【０１４１】
ファクシミリ装置Ｒ３では、まず、ステップＳ３１において、送信側装置の要求に応じて拡張機能情報メモリ２９２に記憶されている伝送情報Ａ，ファイル情報Ｂ，及びプリント情報Ｃを読み出してこれを送信側装置へ回答（送信）する処理が実行される。この場合、受信側装置自身が拡張機能付き白黒タイプのため、拡張機能情報は通信プロトコルにおけるＮＳＦ制御信号によって送信される。
【０１４２】
続くステップＳ３２では、送信側装置から送られてくる拡張機能情報の受信処理が実行される。これは送信側装置において前述の送信処理のステップＳ７（図９参照）で実行される。なお、拡張機能情報は、前述のファクシミリ装置Ｒ１の場合と同様にＲＡＭ２９Ｃに一時的に格納される。
【０１４３】
次に、処理はステップＳ３３に移行して、ＲＡＭ２９Ｃに格納された伝送情報Ａを解読し、カラー機能Ａ１の設定内容からカラータイプか、それとも白黒タイプかの判断を行う。
【０１４４】
そして、カラータイプであるという判断結果が得られた場合には、処理はステップＳ３５に移行する。一方、白黒タイプであるという判断結果が得られた場合には、処理は、ステップＳ３４に移行して、画情報を受信しながら標準白黒タイプに応じた白黒プリント出力を行うように白黒プリンタ３０を制御する。このステップＳ３４の後、受信処理は終了する。
【０１４５】
さて、処理がステップＳ３５に移行した場合には、さらに続いてＲＡＭ２９Ｃに格納されたファイル情報Ｂを解読し、ファイル機能Ｂ１の設定内容からカラーファイリングの要求すなわち拡張機能によるファイリング要求があるか否かの判断を行う。このように、この処理手順でプリント機能Ｃ１の設定内容を確認しないのは、自装置のプリント機能が白黒タイプのためである。
【０１４６】
そして、ファイリング要求ありという判断結果が得られた場合には、処理はステップＳ３７に移行して、画情報を受信しながらヘッダ出力とカラーファイリングとを行う。一方、ファイリング要求なしという判断結果が得られた場合には、送信側装置より拡張機能の指示がないものと判断され、処理はステップＳ３６に移行して受信不可処理を実行する。この後、受信処理は終了する。
【０１４７】
なお、ステップＳ３７では、カラーファイリングが正常に動作したのか否かを、受信側装置のユーザに知らせるため、ヘッダページを白黒でプリントするように、白黒プリンタ３０が制御される。
【０１４８】
次に、前述のステップＳ２９及びステップＳ３７における一変形例ついて説明する。図１２はこの実施の形態の一変形例におけるプリント例を示す図である。
【０１４９】
この変形例によるヘッダページのプリント出力では、図１２（ａ），（ｂ），（ｃ）に示したように、例えば３種のプリント方法を用意してその中からひとつを選択可能とする。図１２（ａ），（ｂ），（ｃ）にそれぞれ示したプリントＰＴ１，ＰＴ２，ＰＴ３は、共通して発信元記録挿入部ＩＮＦをページの先端部分にプリントする形式である。
【０１５０】
この発信元記録挿入部ＩＮＦには、ＩＤ（発信元電話番号等）、発信日時、ファイル番号、宛先、発信元（会社名、部署名、個人名等）等の情報が含まれている。
【０１５１】
プリントＰＴ１には、ヘッダページの画情報のイメージＩＭＧを発信元記録挿入部ＩＮＦに重畳させた形式が採用される。これは、ヘッダページのイメージを損なわないようにプリントする場合に有効である。
【０１５２】
プリントＰＴ２には、ヘッダページの画情報のイメージＩＭＧについて発信元記録挿入部ＩＮＦに重なる部分を除去させた形式が採用される。これは、発信元記録挿入部ＩＮＦの情報を明瞭に独立させて提示する場合に有効である。
【０１５３】
プリントＰＴ３には、ヘッダページの画情報のイメージＩＭＧについて、発信元記録挿入部ＩＮＦに重なる部分を除去すると共に、発信元記録挿入部ＩＮＦとイメージＩＭＧ間を一定距離だけ離間させるようにスペースＳＰを設けた形式が採用される。これは、プリントＰＴ２の場合よりも発信元記録挿入部ＩＮＦの情報を一層明瞭に独立させて提示する場合に有効である。
【０１５４】
以上説明したように、この実施の形態によれば、拡張機能付きカラータイプもしくは標準カラータイプの送信側装置が拡張機能付きの受信側装置の受信機能に応じた拡張機能によって受信側装置の出力動作を制御するようにしたので、送信側装置により受信側装置の受信能力に応じて最適なファクシミリ通信が実現される。その結果、受信側装置の実用性を向上させることが可能である。
【０１５５】
特に、送信側装置の拡張機能情報によって受信側装置のファイル出力動作とプリント出力動作とのいずれか一方、もしくはその両方を制御するようにしたので、送信側装置により受信側装置の受信能力に応じてファイル出力動作やプリント出力動作を制御することができる。
【０１５６】
また、拡張機能付きカラータイプもしくは標準カラータイプの送信側装置が拡張機能付き白黒タイプの受信側装置のファイル出力形態（カラーファイリング）とプリント出力形態（白黒プリント出力）とを含む受信形態に応じた拡張機能情報によって受信側装置の出力動作を制御し、その際、送信側装置の拡張機能情報にファイル出力形態の指示、もしくはカラータイプのプリント出力形態の指示があった場合に受信側装置において送信側装置からの受信データ（カラーデータ）をハードディスクに記憶するようにしたので、送信側装置により受信側装置の受信能力に応じてカラータイプのプリント出力形態をファイル出力形態に置き換えることが可能である。
【０１５７】
さらに言及すれば、拡張機能付き白黒タイプのファクシミリ装置に対してカラープリントを強要することはなく、受信側装置の出力形態すなわち白黒プリント出力に合わせて適宜カラーファイリングを動作させることができ、受信側装置の性能の範囲内でもっとも良好な出力形態を選択することができる。
【０１５８】
また、送信側装置によって設定される拡張機能情報に、伝送情報Ａとして、カラーデータ／白黒データを規定するカラー機能Ａ１、階調データ等のデータ量を規定するコンポーネントＡ３、及び符号化方式データを規定する符号化方式Ａ５のいずれか一つ、もしくはその組み合わせを含めたので、受信側装置では送信側装置から受信される伝送情報に適宜応じて最適なファクシミリ受信が実現される。
【０１５９】
また、通信プロトコルをＩＴＵ−Ｔカラーファクシミリ標準勧告に従う伝送手順にしたので、送受信側装置間で拡張機能を有効利用することが可能である。
【０１６０】
また、プリント出力形態を示す拡張機能情報にプリント部数の情報を含めたので、送信側装置の要求に応じた受信形態で指示される部数のプリント出力が実現される。その結果、複写機の力を借りずに画像劣化のないカラー画像や多値画像の状態での出力が完了することから、また、受信側装置の受信能力に応じて送信側装置の要求に応じた受信形態で出力に要する時間を短縮することから、受信側装置の実用性を向上することが可能である。
【０１６１】
さらに言及すれば、一度紙にプリントしたものを再度複写する場合と異なって、階調や色再現性等の点で送信側装置にセットされた元の原稿画像に近い出力を得ることができる。
【０１６２】
また、プリント出力形態を示す拡張機能情報に解像度情報を含めたので、送信側装置の要求に応じた受信形態で指示される解像度のプリント出力が実現される。
【０１６３】
また、プリント出力形態を示す拡張機能情報にプリント用紙のサイズ情報を含めたので、送信側装置の要求に応じた受信形態で指示されるプリント用紙のサイズでプリント出力が実現される。
【０１６５】
【発明の効果】
以上説明したように、請求項１の発明によれば、送信側装置に対して自装置のファイル出力形態を含む受信形態を拡張機能情報によって送信するようにしたので、自装置の受信能力に応じてファイル出力動作を制御することで最適なファクシミリ通信が実現され、これによって、受信側の実用性を向上させることが可能なファクシミリ装置を得られるという効果を奏する。
【０１６７】
また、請求項２の発明によれば、送信側装置の拡張機能情報に応じてファイル出力動作とプリント出力動作とのいずれか一方、もしくはその両方の出力動作を制御し、特に、送信側装置の拡張機能情報にファイル出力形態の指示があった場合に送信側装置からの受信データを記憶するようにしたので、自装置の受信能力に応じてファイル出力動作やプリント出力動作を制御することで最適なファクシミリ通信が実現され、これによって、受信側の実用性を向上させることが可能なファクシミリ装置を得られるという効果を奏する。
【０１６８】
また、請求項３の発明によれば、送信側装置に対して自装置のファイル出力形態と白黒タイプのプリント出力形態とを含む受信形態を拡張機能情報によって送信して、送信側装置の拡張機能情報にファイル出力形態の指示、もしくはカラータイプのプリント出力形態の指示があった場合に送信側装置からの受信データを記憶するようにしたので、自装置の受信能力に応じてカラータイプのプリント出力形態をファイル出力形態に置き換えることで最適なファクシミリ通信が実現され、これによって、受信側の実用性を向上させることが可能なファクシミリ装置を得られるという効果を奏する。
【０１６９】
また、請求項４の発明によれば、請求項１〜３のいずれか一つに記載の発明において、前記所定の通信プロトコルをＩＴＵ−Ｔカラーファクシミリ標準勧告に従う伝送手順にしたので、送信側装置との間で拡張機能を有効利用することが可能なファクシミリ装置を得られるという効果を奏する。
【０１７０】
また、請求項５の発明によれば、請求項２又は３に記載の発明において、プリント出力形態を示す拡張機能情報はプリント部数情報を含むようにしたので、送信側装置の要求に応じた受信形態で指示される部数のプリント出力が実現され、これによって、複写機の力を借りずに画像劣化のないカラー画像や多値画像の状態での出力が完了することから、また、自装置の受信能力に応じて送信側装置の要求に応じた受信形態で出力に要する時間を短縮することから、受信側の実用性を向上することが可能なファクシミリ装置を得られるという効果を奏する。
【０１７１】
また、請求項６の発明によれば、請求項２又は３に記載の発明において、プリント出力形態を示す拡張機能情報が解像度情報を含むようにしたので、送信側装置の要求に応じた受信形態で指示される解像度のプリント出力が実現され、これによって、複写機の力を借りずに画像劣化のないカラー画像や多値画像の状態での出力が完了することから、また、自装置の受信能力に応じて送信側装置の要求に応じた受信形態で出力に要する時間を短縮することから、受信側の実用性を向上することが可能なファクシミリ装置を得られるという効果を奏する。
【０１７２】
また、請求項７の発明によれば、請求項２又は３に記載の発明において、プリント出力形態を示す拡張機能情報はプリント用紙のサイズ情報を含むようにしたので、送信側装置の要求に応じた受信形態で指示されるプリント用紙のサイズでプリント出力が実現され、これによって、複写機の力を借りずに画像劣化のないカラー画像や多値画像の状態での出力が完了することから、また、自装置の受信能力に応じて送信側装置の要求に応じた受信形態で出力に要する時間を短縮することから、受信側の実用性を向上することが可能なファクシミリ装置を得られるという効果を奏する。
【０１７４】
また、請求項８の発明によれば、送信側装置が受信側装置の受信機能に応じた拡張機能によって受信側装置の出力動作を制御し、その際、送信側装置の拡張機能情報によってファイル出力動作を制御するようにしたので、送信側装置により受信側装置の受信能力に応じてファイル出力動作を制御することで最適なファクシミリ通信が実現され、これによって、受信側装置の実用性を向上させることが可能なファクシミリ通信システムを得られるという効果を奏する。
【０１７６】
また、請求項９の発明によれば、送信側装置が受信側装置の受信機能に応じた拡張機能によって受信側装置の出力動作を制御し、その際、送信側装置の拡張機能情報によってファイル出力動作とプリント出力動作とのいずれか一方、もしくはその両方を制御するようにしたので、送信側装置により受信側装置の受信能力に応じてファイル出力動作やプリント出力動作を制御することで最適なファクシミリ通信が実現され、これによって、受信側装置の実用性を向上させることが可能なファクシミリ通信システムを得られるという効果を奏する。
【０１７７】
また、請求項１０の発明によれば、送信側装置が受信側装置のファイル出力形態と白黒タイプのプリント出力形態とを含む受信形態に応じた拡張機能情報によって受信側装置の出力動作を制御し、その際、送信側装置の拡張機能情報にファイル出力形態の指示、もしくはカラータイプのプリント出力形態の指示があった場合に送信側装置からの受信データを記憶するようにしたので、送信側装置により受信側装置の受信能力に応じてカラータイプのプリント出力形態をファイル出力形態に置き換えることで最適なファクシミリ通信が実現され、これによって、受信側装置の実用性を向上させることが可能なファクシミリ通信システムを得られるという効果を奏する。
【０１７８】
また、請求項１１の発明によれば、請求項８〜１０のいずれか一つに記載の発明において、設定手段により設定される拡張機能情報に、伝送情報として、カラーデータ／白黒データ、階調データ等のデータ量、及び符号化方式データのいずれか一つ、もしくはその組み合わせを含めたので、受信側装置では送信側装置から受信される伝送情報に適宜応じて最適なファクシミリ受信が実現され、これによって、受信側装置の実用性を向上させることが可能なファクシミリ通信システムを得られるという効果を奏する。
【０１７９】
また、請求項１２の発明によれば、請求項８〜１０のいずれか一つに記載の発明において、所定の通信プロトコルをＩＴＵ−Ｔカラーファクシミリ標準勧告に従う伝送手順にしたので、送信側装置との間で拡張機能を有効利用することが可能なファクシミリ通信システムを得られるという効果を奏する。
【０１８０】
また、請求項１３の発明によれば、請求項９又は１０に記載の発明において、プリント出力形態を示す拡張機能情報にプリント部数情報を含めたので、送信側装置の要求に応じた受信形態で指示される部数のプリント出力が実現され、これによって、複写機の力を借りずに画像劣化のないカラー画像や多値画像の状態での出力が完了することから、また、受信側装置の受信能力に応じて送信側装置の要求に応じた受信形態で出力に要する時間を短縮することから、受信側装置の実用性を向上することが可能なファクシミリ通信システムを得られるという効果を奏する。
【０１８１】
また、請求項１４の発明によれば、請求項９又は１０に記載の発明において、プリント出力形態を示す拡張機能情報に解像度情報を含めたので、送信側装置の要求に応じた受信形態で指示される解像度のプリント出力が実現され、これによって、複写機の力を借りずに画像劣化のないカラー画像や多値画像の状態での出力が完了することから、また、受信側装置の受信能力に応じて送信側装置の要求に応じた受信形態で出力に要する時間を短縮することから、受信側装置の実用性を向上することが可能なファクシミリ通信システムを得られるという効果を奏する。
【０１８２】
また、請求項１５の発明によれば、請求項９又は１０に記載の発明において、プリント出力形態を示す拡張機能情報にプリント用紙のサイズ情報を含めたので、送信側装置の要求に応じた受信形態で指示されるプリント用紙のサイズでプリント出力が実現され、これによって、複写機の力を借りずに画像劣化のないカラー画像や多値画像の状態での出力が完了することから、また、受信側装置の受信能力に応じて送信側装置の要求に応じた受信形態で出力に要する時間を短縮することから、受信側装置の実用性を向上することが可能なファクシミリ通信システムを得られるという効果を奏する。
【図面の簡単な説明】
【図１】この発明に係るファクシミリ装置の一実施の形態によるカラータイプの内部構成を示すブロック図である。
【図２】この発明に係るファクシミリ装置の一実施の形態による白黒タイプの内部構成を示すブロック図である。
【図３】この実施の形態による拡張機能情報メモリのメモリ構成例を示す図である。
【図４】拡張機能情報における伝送情報の一例を示す図である。
【図５】拡張機能情報におけるファイル情報の一例を示す図である。
【図６】拡張機能情報におけるプリント情報の一例を示す図である。
【図７】この実施の形態における送受信タイプの組み合わせの一例を示す図である。
【図８】この実施の形態におけるプロトコル例を示す図である。
【図９】この実施の形態における送信動作を説明するフローチャートである。
【図１０】この実施の形態における受信動作の一例を説明するフローチャートである。
【図１１】この実施の形態における受信動作の他の例を説明するフローチャートである。
【図１２】この実施の形態の一変形例におけるプリント例を示す図である。
【符号の説明】
２              信号処理部
３              カラープリンタ
４              ハードディスク装置
２０              信号処理部
３０              白黒プリンタ
２９              制御部
２９Ａ            ＣＰＵ
２９Ｂ            ＲＯＭ
２９Ｃ            ＲＡＭ
１２９              制御部
１２９Ａ            ＣＰＵ
１２９Ｂ            ＲＯＭ
１２９Ｃ            ＲＡＭ
２９１              アプリケーションプログラムメモリ
２９２              拡張機能情報メモリ
１２９１              アプリケーションプログラムメモリ
１２９２              拡張機能情報メモリ
【図１】
0003607436.tif 000002
【図２】
0003607436.tif 000003
【図３】
0003607436.tif 000004
【図４】
0003607436.tif 000005
【図５】
0003607436.tif 000006
【図６】
0003607436.tif 000007
【図７】
0003607436.tif 000008
【図８】
0003607436.tif 000009
【図９】
0003607436.tif 000010
【図１０】
0003607436.tif 000011
【図１１】
0003607436.tif 000012
【図１２】
0003607436.tif 000013